(57)【要約】      （修正有）【課題】従来のセーフティボックスは、ロック爪が収納室側に突出し、収納室部側で施錠していたため、外部から上部カバーをこじり、ロック爪を操作してこじ開けられた。そこで、外部からロック爪を操作解錠できないようにし、施錠箇所を複数個設けて、盗難をより困難にする。【解決手段】ボックス本体１を仕切板９により収納室部Ｓと施錠装置室部Ｋとに分け、施錠装置室部Ｋには施錠フレーム１４を設け、施錠フレーム１４の両側にロック爪７，７’を仕切板９より収納室Ｓ側に出ないように配設し、施錠を施錠室部内で行い、ロック爪を複数設けたことにより施錠の信頼性を高めた。【選択図】図１１
2004308389.tif 000002
【特許請求の範囲】
【請求項１】
貴重品を収納する本体と該貴重品を投入する開閉蓋及び本体と開閉蓋との施錠解錠を可能にする施錠装置を有するセーフティボックスにおいて、揺動可能なロック爪と該ロック爪と係合して施錠を可能にする施錠係合部材を設け、該施錠係合部が開閉蓋の閉塞端より前方に位置するようにしたことを特徴とするセーフティボックス。
【請求項２】
貴重品を収納する収納部と施錠装置を配置する施錠装置部の間に仕切り板を設け、開閉蓋には施錠係合部が開閉蓋閉塞端より前方になるように施錠係合部材を設け、開閉蓋の閉塞時には該係合部材が仕切り板を貫入し、施錠係合が仕切り板を超えた施錠装置室部内で行われるようにしたことを特徴とする請求項１記載のセーフティボックス。
【請求項３】
ロック爪と施錠係合部材をそれぞれ一対設けたことを特徴とする請求項１又は請求項２記載のセーフティボックス。
【請求項４】
請求項２記載の仕切り板によって分割された収納室部と施錠装置室部のうち施錠装置室部内の両側に一対のロック爪を揺動可能に設け、開閉蓋両側には一対の施錠部材を開閉蓋閉塞端より前方に設け、それぞれ施錠装置室部内で施錠可能にしたことを特徴とする請求項２及び請求項３記載のセーフティボックス。
【請求項５】
請求項２記載の仕切り板によって分割された収納室部と施錠装置室部のうち施錠装置室部内の両側に一対のロック爪を該仕切り板の収納部側面より収納部側に該ロック爪の一部が突出しないように、且つ、揺動可能に設け、開閉蓋両側には一対の施錠部材を開閉蓋閉塞端より前方に設けて、それぞれ施錠装置室部内で施錠可能にしたことを特徴とする請求項４記載のセーフティボックス。
【請求項６】
一対のロック爪を連結部材で連結したことを特徴とする請求項４または請求項５記載のセーフティボックス。
【請求項７】
一対のロック爪を連結部材で連結するとともに、該ロック爪と連結部材との連結をピン連結とし、該ロック爪と該連結部材とを自在に可動出来るようにしことを特徴とする請求項６記載のセーフティボックス。
【発明の詳細な説明】
【０００１】
【発明の属する技術分野】
本発明は、施錠の信頼性向上を図った貴重品を保管する施錠装置付き貴重品箱に関わるものである。
【０００２】
【従来の技術】
従来のセーフティボックスはボックス本体の施錠装置側にロック爪を設け、該ロック爪を開閉蓋に貫入させ、開閉蓋に設けた施錠係合部材と係合させて施錠していた（例えば、参考文献として特願平１０−３１４０６４，特願平１０−３５１４０４，特願平１１−６１０１４，特願２０００−３５２８１３がある）。
【０００３】
以下、図１〜図７により従来のセーフティボックスついて説明する。図１において、上フレーム１０１側を前とする。ボックス本体１００にガイドレール溝１０２を設け、開閉蓋１０３の両側に軸１０４を設け、該軸部１０４にはローラー１０５を自在に回転するように設け、該ローラー１０５が上記ガイドレール溝１０２を転動走行できるようにし、開閉蓋１０３はローラー１０５を介してボックス本体１００上を前後方向にスライド自在になるよう配設されている。
【０００４】
また、開閉蓋１０３が閉じた状態では、図１，図３で示すように開閉蓋１０３の前部が上フレーム１０１の下方に入り、上フレームが開閉蓋１０３の前部を覆うようになっている。
【０００５】
図２は図１のＡ−Ａ断面を示し、開閉蓋１０３には施錠孔１０３ａを設け、仕切板１１１にはロック爪１０７を突出させるための孔１１１ａを設ける。
【０００６】
図３はセーフティボックスの施錠部内部を示す。
施錠フレーム１０８は仕切板１１１を介してボックス本体１００に固定されており、施錠フレーム１０８にはロック爪１０７，ロック爪支点ピン１１０，スプリング１０９およびカード式錠１０６を設ける。カード式錠１０６はロック爪１０７を操作して解錠させるものであるが、その作用については省略する。
【０００７】
図３，図４において、ロック爪１０７はピン１１０を支点に回動可能になっており、スプリング１０９によって常に施錠係合方向（図４矢印方向）へ押しつけられている。
【０００８】
図４〜図６は、開閉蓋１０３が開状態から閉じて施錠されるまでの開閉蓋１０３とロック爪１０７の作用を表したものである。図４は開閉蓋１０３が開いた状態である。図５において、開閉蓋１０３を閉じようとすると、開閉蓋１０３に設けた施錠孔１０３ａにロック爪１０７が貫入し、施錠孔１０３ａの施錠孔側壁１０３ａ’がロック爪１０７を矢印方向へ押し戻し、施錠孔側壁１０３ａ’がロック爪１０７の施錠切り欠き１０７ａを過ぎると、図６に示す通りロック爪１０７が図６矢印方向へ戻され、ロック爪１０７と開閉蓋１０３が係合し、施錠される。
【０００９】
【発明が解決しようとする課題】
上記説明の通り、開閉蓋１０３が閉じた施錠状態では、仕切板１１１と開閉蓋１０３前方端の隙間からロック爪１０７を操作して開閉蓋１０３が開けられないよう、その部分を上フレーム１０１で覆うなどして、従来のセーフティボックスにおいても外部から解錠操作されないような工夫が施されている。しかしながら、近年、図７に示すように開閉蓋１０３と上部フレーム１０１との隙間にドライバーあるいはバールのようなものを差し込んで上部フレーム１０１を捲り曲げ、隙間から器物を差し込んでロック爪１０７を操作解錠して貴重品を盗み出すと云う事件が発生している。また、施錠箇所が１カ所であるためさらに盗難を容易にしている。
【００１０】
本発明は、上記課題を解決するしようとするものであり、第一の目的は外部からロック爪を操作解錠できないようにするものであり、第二の目的は施錠箇所を複数個設けて、盗難をより困難にすることである。
【００１１】
【課題を解決するための手段】
本発明は、上記問題を解決するために請求項１ではロック爪と施錠係合部材との施錠係合部を開閉蓋閉塞端より前方に配置した。
【００１２】
請求項２に関わる発明では、開閉蓋に設けた施錠係合部を貴重品収納室部と施錠装置室部を仕切る仕切り板に貫入させ、施錠装置室部内で係合施錠するようにした。
【００１３】
請求項３に関わる発明では、施錠箇所を複数個設けた。
【００１４】
請求項４に関わる発明では、ボックス本体を仕切り板で貴重品収納室部と施錠装置室部とに分け、ロック爪を施錠装置室部内の両側に設け、また、開閉蓋両側にはロック爪と対応するように施錠部材を開閉蓋閉塞端より前方に設け、それぞれ施錠装置室部内で施錠可能にした。
【００１５】
請求項５に関わる発明では、ボックス本体を仕切り板で貴重品収納室部と施錠装置室部とに分け、ロック爪を該仕切り板より貴重品収納室部側に出ないように施錠装置室部内の両側に設け、また、開閉蓋両側にはロック爪と対応するように施錠部材を開閉蓋閉塞端より前方に設け、それぞれ施錠装置室部内で施錠可能にした。
【００１６】
請求項６に関わる発明では、上記一対設けたロック爪を連結部材で連結し、該連結部材を操作することによって互いに離れた一対のロック爪が共に作動するようにし、解錠構造を簡略化にした。
【００１７】
請求項７に関わる発明では、前記一対のロック爪を連結部材でピン連結し、該ロック爪と該連結部材とを自在に可動出来るようにし、一方のロック爪を操作しても他方のロック爪は作動しないようにし、且つ、該連結部材を操作することによって互いに離れた一対のロック爪が共に作動して施錠あるいは解錠可能にした。
【００１８】
【発明の実施の形態】
以下、本発明の実施の形態を図８〜図１８に基づいて説明する。
【００１９】
図８，図９はそれぞれセーフティボックスの平面図，側面図を示す。
１は貴重品の収納及び施錠装置を配設するボックス本体で、ボックス本体１にはガイドレール溝１ａ、開閉蓋４の両側にはそれぞれ２箇所づつ軸５、該軸５にはローラー６を自在に回転するように設け、該ローラー６が上記ガイドレール溝１ａを転動走行できるようにし、開閉蓋４はローラー６を介してボックス本体１上を前後方向にスライドし、開閉できるになるよう配設されている。
【００２０】
また、図１０で示すように開閉蓋４前部の両側壁を開閉蓋閉塞端Ｅより前方に突き出させ、施錠係合部材８，８’を設ける。
【００２１】
図１１，図１２，図１３において、ボックス本体１を仕切板９によって収納室部Ｓと図１７で示すように施錠装置室部Ｋとに分け、該施錠装置室部Ｋには施錠フレーム１４を設け、該施錠フレーム１４の両側にはロック爪７，７’を仕切板９より収納部Ｓ側に出ない様に配設するとともにカード式錠１３を設ける。
【００２２】
図１１，図１３において、ロック爪７，７’はそれぞれピン１１，１１’を支点に回動可能になっており、スプリング１２，１２’によって常に係合方向（図１３失印Ｙａ方向）へ押しつけられている。
【００２３】
図１３，図１４，図１５は開閉蓋４が閉じるときの作用を示しており、図１３は開閉蓋４が開いている状態を示している。図１４において、開閉蓋４を閉じるときには開閉蓋前部に配設された施錠係合部材８，８’が仕切板孔９ａ（図１２，図１３参照）を通じて仕切板９に設けた貫入孔９ａを貫入し、その進行に従って施錠係合部材８，８’がロック爪７，７’を押し上げ、ロック爪７，７’の切り欠き部７ａ，７’ａが施錠係合部材８，８’を超えたところでロック爪７，７’はスプリング１２，１２’によって押し戻され施錠係合部材８，８’と係合し、図１５に示すとおり開閉蓋４を施錠する。
【００２４】
図１３において、カード式錠１３上面にはカードキー挿入孔１３ａが存在し、図１６，図１７に示すとおり、カードキー１３ｂを該カードキー挿入孔１３ａに挿入し、押し込むことによってカード式錠のスライド片１５が下方へ押し下げられ、同時にスライド片１５によって連結部材１０を下方へ押し下げ、両ロック爪７，７’を解錠操作する。
【００２５】
また、図１８で示すように、上記両方のロック爪７，７’は連結部材１０で連結されているが、ロック爪７，７’と連結部材１０との連結はピン１６，１６’を介して成されており、連結部材１０に対してロック爪７，７’がそれぞれ自由に可動できるようにし、一方のロック爪を外部から操作しても他方にその影響を与えないようになっている。
【００２６】
【発明の効果】
上述したように本発明のセーフティボックスは、施錠係合部を施錠装置室部内に設けことによって、外部からの解錠操作を不可能にするとともに、施錠部を複数にすることで盗難防止に対する信頼性を高めた。
【図面の簡単な説明】
【図１】〜
【図７】従来技術の説明図
【図８】平面図
【図９】側面図
【図１０】開閉蓋立体図
【図１１】施錠装置室部Ｋの詳細図
【図１２】仕切板９の貫入孔９ａの指示図
【図１３】〜
【図１５】開閉蓋４が閉じるときの作用図
【図１６】解錠操作図
【図１７】解錠操作内部詳細図
【図１８】ロック爪７，７’の連結図
【符号の説明】
１        ボックス本体
２        カバーフレーム前
４        開閉蓋
７，７’  ロック爪
８，８’  施錠係合部材
９        仕切板
９ａ      貫入孔
１０      連結部材
１６，１６’ピン
Ｅ        開閉蓋閉塞端
Ｋ        施錠装置室部
Ｓ        収納室部
【図１】
2004308389.tif 000003
【図２】
2004308389.tif 000004
【図３】
2004308389.tif 000005
【図４】
2004308389.tif 000006
【図５】
2004308389.tif 000007
【図６】
2004308389.tif 000008
【図７】
2004308389.tif 000009
【図８】
2004308389.tif 000010
【図９】
2004308389.tif 000011
【図１０】
2004308389.tif 000012
【図１１】
2004308389.tif 000013
【図１２】
2004308389.tif 000014
【図１３】
2004308389.tif 000015
【図１４】
2004308389.tif 000016
【図１５】
2004308389.tif 000017
【図１６】
2004308389.tif 000018
【図１７】
2004308389.tif 000019
【図１８】
2004308389.tif 000020